(57)【要約】      （修正有）【課題】上下部の透明プラスチック層によって防水、汚れ防止、直立性、耐久性を持ち、織物層によるパターンの多様性を兼ね備えた、生活用品にふさわしく、バッグなどの用品に応用することができるプラスチック生地縫製結合部材を提供する。【解決手段】プラスチック生地縫製結合部材は上・下部透明プラスチック層１・２、織物層３を備える。織物層３が上部透明プラスチック層１と下部透明プラスチック層２の間に重ねられる。下部透明プラスチック層２が飾り糸４・４’により織物層３と縫製結合される。下部透明プラスチック層２が織物層３及び上部透明プラスチック層１に縫製結合されて縫製図形が形成される。【選択図】図８
0003191994.tif 000002
【実用新案登録請求の範囲】
【請求項１】
プラスチックと生地を縫製結合したプラスチック生地縫製結合部材であって、
上部透明プラスチック層(１)と、
下部透明プラスチック層(２)と、
その間に重ねられる織物層(３)からなり、
下部透明プラスチック層(２)が飾り糸(４・４')により織物層(３)と縫製結合され、下部透明プラスチック層(２)が織物層(３)及び上部透明プラスチック層(１)と縫製結合され、その結果図形が形成されることを特徴とするプラスチック生地縫製結合部材。
【請求項２】
前記上部透明プラスチック層(１)または前記下部透明プラスチック層(２)が半透明プラスチック層または全透明プラスチック層であることを特徴とする請求項１に記載のプラスチック生地縫製結合部材。
【請求項３】
上フレーム(５１)と下フレーム(５２)からなるフレーム(５)をさらに備え、本体に結合することができ、前記上フレーム(５１)を前記上部透明プラスチック層(１)の上に、下フレーム(５２)を前記下部透明プラスチック層(２)の下に重ねることを特徴とする請求項１に記載のプラスチック生地縫製結合部材。
【請求項４】
前記織物層(３)がレース、紡糸、紗織または網状からなることを特徴とする請求項１に記載のプラスチック生地縫製結合部材。
【請求項５】
前記下部透明プラスチック層(２)と前記織物層(３)が前記飾り糸(４・４')により縫製結合され、前記織物層(３)の上及び前記下部透明プラスチック層(２)の下に縫製図形が形成されることを特徴とする請求項１に記載のプラスチック生地縫製結合部材。
【請求項６】
前記上部透明プラスチック層(１)、縫製された前記織物層(３)、及び前記下部透明プラスチック層(２)が前記飾り糸(４・４')により縫製結合され、前記上部透明プラスチック層(１)の上に別の縫製図形が形成され、前述の図形と重なって新たな図形を形成することを特徴とする請求項５に記載のプラスチック生地縫製結合部材。
【請求項７】
前記下部透明プラスチック層(２)と前記織物層(３)と前記上部透明プラスチック層(１)が前記飾り糸(４・４')により縫製結合され、前記上部透明プラスチック層(１)の上及び前記下部透明プラスチック層(２)の下に前記図形が形成されることを特徴とする請求項１に記載のプラスチック生地縫製結合部材。
【請求項８】
前記フレーム(５)が皮革フレームであることを特徴とする請求項3に記載のプラスチック生地縫製結合部材。
【請求項９】
前記フレーム(５)が複数の中空部を有することを特徴とする請求項3に記載のプラスチック生地縫製結合部材。
【請求項１０】
織物層(３)と装飾品(９)をセットで備え、前記装飾品(９)が金属、ジュエリー、プラスチック、またはガラスであることを特徴とする請求項１に記載のプラスチック生地縫製結合部材。
【考案の詳細な説明】
【技術分野】
【０００１】
本考案は、平面資材、特にプラスチック生地縫製結合部材に関する。
【背景技術】
【０００２】
我々の生活の中では、数万もの生活用品が使用されている。例えばバッグ、靴、レインコートなど。これらの生活用品は、その資材によって様々な機能的効果を備えている。例えば、ナイロン資材によって生産されるレインコートは、防水機能を備えており、色々な皮革で作られたバッグは異なるテクスチャ効果をもたらすことができる。その他一般的な資材として、例えばプラスチックや織物などがある。プラスチックで作られた製品は防水、汚れ防止、直立性、耐久性などの特性を有する。織物は防水性、汚れ防止、耐久性などではプラスチックに及ばないが、その特徴として製品により豊かな質感、テクスチャのバリエーションをもたらすことが出来るため、バッグなどの生活用品として幅広く使用されている。
【考案の概要】
【考案が解決しようとする課題】
【０００３】
プラスチックのみで製作されたバッグなどの生活用品は質感やスタイルが欠落し、また織物のみで作られた製品は防水性や汚れへの抵抗が弱く、直立性、耐久性に欠ける等、それぞれ欠点がある。
【０００４】
本考案はプラスチックと織物の両方の利点を兼ね備えた「プラスチック生地縫製結合部材」を提供することを目的とする。プラスチックの防水性、汚れ防止、直立性、耐久性に加え、織物の豊富なテクスチャ及びバリエーションを持つことができるため、バッグ、靴、そして雨具や生活用品などの製品に適用することができる。
【課題を解決するための手段】
【０００５】
本考案は従来技術の問題を解決する為に提供するプラスチック生地縫製結合部材であり、上部透明プラスチック層と、下部透明プラスチック層と、織物層とを備える。前記織物層を前記上下部の透明プラスチック層の間に重ねる。前記下部透明プラスチック層が飾り糸により前記織物層と縫製結合され、また前記下部透明プラスチック層が前記織物層及び前記上部透明プラスチック層に縫製結合されることで、縫い目の模様が形成される。
【０００６】
前記上下部のプラスチック層は半透明または全透明であることが好ましい。
【０００７】
さらに本体とフレームがセットで備わることが望ましい。フレームは上フレームと下フレームからなり、上フレームが上部透明プラスチック層の上に重ねられ、下フレームが下部透明プラスチック層の下に重ねられることが好ましい。
【０００８】
前記織物層はレース、紡糸、紗織または網状を備えることが好ましい。
【０００９】
前記下部透明プラスチック層と前記織物層が前記飾り糸により縫合され、前記織物層の上及び前記下部透明プラスチック層の下に縫い目の模様が形成されることが好ましい。
【００１０】
前記上部透明プラスチック層、縫製された織物層及び前記下部透明プラスチック層が飾り糸により縫製結合され、前記上部透明プラスチック層の上に別の模様が形成され、前出の模様と重層の模様を形成することが好ましい。
【００１１】
前記下部透明プラスチック層と前記織物層と前記上部透明プラスチック層が前記飾り糸により縫製結合され、前記上部透明プラスチック層の上及び前記下部透明プラスチック層の下に模様が形成されることが好ましい。
【００１２】
前記フレームは皮革フレームであることが好ましい。
【００１３】
前記フレームは複数の中空部を有することが好ましい。
【００１４】
織物層と装飾品がセットで備わり、金属、ジュエリー、プラスチック、またはガラスなどの種類を備えることが好ましい。
【考案の効果】
【００１５】
本考案中に係るプラスチック生地縫製結合部材は、透明プラスチック層及び織物層を飾り糸で縫製結合する方式により、目新しい資材の組み合わせが可能となる。二重の半透明プラスチック層または全透明プラスチック層に重なった織物層が、本来のバリエーション豊富なテクスチャ、デザイン、色を保留し、縫製シングル資材により製作された製品より豊かさと多様性を持たせると同時に、透明プラスチック層により防水性、汚れ防止、直立性、耐久性などの利点を兼備するため、バッグ、靴、そして雨具や生活用品などの生産に適用されうる。
【図面の簡単な説明】
【００１６】
【図１】本考案の第１実施形態におけるプラスチック生地縫製結合部材を示す斜視図である。
【図２】本考案の第１実施形態におけるプラスチック生地縫製結合部材を示す分解斜視図である。
【図３】本考案の第１実施形態におけるプラスチック生地縫製結合部材を示す断面図である。
【図４】本考案の第１実施形態におけるプラスチック生地縫製結合部材がバッグに装着状態を示す図である。
【図５】本考案の第２実施形態におけるプラスチック生地縫製結合部材を示す斜視図である。
【図６】本考案の第３実施形態におけるプラスチック生地縫製結合部材を示す断面図である。
【図７】本考案の第４実施形態におけるプラスチック生地縫製結合部材を示す断面図である。
【図８】本考案の第４実施形態におけるプラスチック生地縫製結合部材を示す斜視図である。
【考案を実施するための形態】
【００１７】
以下、本考案の実施形態について図１〜図８に基づいて説明する。なお、これによって本考案が限定されるものではない。
【００１８】
同時に図１〜図３を参照する。図１〜図３が示すように、本考案の第１実施形態におけるプラスチック生地縫製結合部材１００は上部透明プラスチック層１、下部透明プラスチック層２、織物層３から構成される。
【００１９】
本実施形態の上部透明プラスチック層１及び下部透明プラスチック層２が半透明プラスチック層または全透明プラスチック層から選択されてもよい。これらの材料がポリエチレン、ポリプロピレン、ポリスチレン、熱可塑性のポリウレタン樹脂から選択されてもよい。また上部透明プラスチック層１及び下部透明プラスチック層２の材料が異なる材料から選択されてもよい。例えば、上部透明プラスチック層１の材質をポリスチレンにし、下部透明プラスチック層２の材質をポリエチレンにし、これによって二つの透明度が異なるプラスチック層が表示される。織物層３が上部透明プラスチック層１と下部透明プラスチック層２の間に重ねられている。織物層３は紡糸織物であるが、レース、紗織または網状織物層から選択してもよい。
【００２０】
上部透明プラスチック層１、下部透明プラスチック層２及び織物層３が飾り糸４により縫製結合されている。本実施形態の下部透明プラスチック層２が飾り糸４により織物層３中に縫製結合され、そして飾り糸４により織物層３の上及び下部透明プラスチック層２の下に図形７が形成される。※菱形は例であって、図案はこれに限定されるものではない。図形７を多角形、円形などの形状から選択してもよい。また織物自体が所有する柄、テクスチャー及びパターンから形成してもよい。上部透明プラスチック層１が縫製された織物層３及び下部透明プラスチック層２の上に重ねられ、この構成により図形７は上部透明プラスチック層１に保護されるため、縫い目の断裂及び汚れの防止ができる。
【００２１】
具体的には、本実施形態の上部透明プラスチック層１、下部透明プラスチック層２及び縫製された織物層３がフレーム５により組み合わされている。フレーム５は上フレーム５１と下フレーム５２からなる。上フレーム５１は前記上部透明プラスチック層１の上に重ねられ、下フレーム５２は前記下部透明プラスチック層２の下に重ねられる。前記上フレーム５１と前記下フレーム５２がフレーム縫糸６により縫い合わされ、上部透明プラスチック層１と前記下部透明プラスチック層２及び縫製された織物層３が上フレーム５１と下フレーム５２の間に納置される。上フレーム５１と下フレーム５２との間の中空部分がウィンドウ部５３であり、ウィンドウ部５３から織物層３及び図形７が見える。菱形は例であって、図案はこれに限定されるものではない。ウィンドウ部５３は範囲内に見られる前記織物層３及び縫製図形７によって大きさを調整してもよい。また、前記上フレーム５１及び下フレーム５２は皮革フレームであることが好ましい。例えば天然皮革又は合成皮革など。とはいえ本考案がこれに限定されるわけではなく、金属、プラスチック、布など他の材質から採用してもよい。尚、前記上フレーム５１及び下フレーム５２は異なる材質を採用してもよい。例えば、前記上フレーム５１は天然皮革の材質、下フレーム５２は布の材質を採用することもできる。
【００２２】
上記の構造により、プラスチック生地縫製結合部材１００は上部透明プラスチック層１、下部透明プラスチック層２により防水性、汚れ防止、直立性、耐久性など特性を持ち、且つ織物層３のテクスチャー、図形、色なども兼ね備え、生活用品などの生産にふさわしい素材となる。例えばバッグ８（図４参考）の場合、上部透明プラスチック層１、下部透明プラスチック層２の直立性によって機能性もあり、織物層３によってバッグの中身を隠し、個人のプライバシーを守るという実用性もプラスすることができる。
【００２３】
図５が示すように、本考案の第２実施形態におけるプラスチック生地縫製結合部材１００aでは、フレーム５が複数の中空部５４を有する。中空部５４は様々な図形にしてもよい。（例えば：図５中に示している長方形の図形）。本実施形態の中空部５４は前記フレーム５周囲のフレーム部分に位置するが、本考案がこれに限定されるわけではない。前記中空部５４が前記フレーム５に不規則に配列されたりまたは交互に配列されたりしてもよい。
【００２４】
その他、フレーム５が複数の細長い形体から織り合わされてもよい。例えば：細長い形体にカットされた皮革、中国ひも又は他の細長い形体を選択し、編む時に細長い形体の間隔を調整しウィンドウ部５３又は中空部５４を形成してもよい。
【００２５】
上部透明プラスチック層１と下部透明プラスチック層２及び縫製された織物層３をフレーム５により組み合わせる以外にも、接着剤、スナップ、または溶融などの方式で組み合わせてもよい。例えばボタンでスナップしてもよい。溶融方式というのは上部透明プラスチック層１を加熱によって縫製された織物層３及び下部透明プラスチック層２に溶着させることである。スナップ、接着剤、又は他の脱着可能の組み合わせ方法を通して、フレーム５に置き換えることが比較的好ましい。
【００２６】
織物層３はさらに装飾品とセットになっていることが好ましい。前記装飾品は金属、ジュエリー、プラスチック、またはガラスなどがよい。前記金属はリベットまたはチェーンであること、ジュエリーは宝石または琥珀、プラスチックはスパンコールまたはビード、ガラスは人造真珠であることが好ましい。本実施形態の装飾品９はスパンコールであり、織物層３とセットになっている。また、スパンコール及びリベットなど異なる種類の装飾品９を織物層３に組み合わせることが好ましい。総括でさらにプラスチック生地縫製結合部材の実用性及び多様性を高める。その他、上部透明プラスチック層１、下部透明プラスチック層２及び縫製された織物層３は直接縫合してもよい。具体的な構成については後述する。
【００２７】
図６が示すように、本考案の第３実施形態におけるプラスチック生地縫製結合部材１００aでは、上部透明プラスチック層１、下部透明プラスチック層２及び織物層３が飾り糸４により同時に縫製結合され、上部透明プラスチック層１の上及び下部透明プラスチック層２の下に縫製図形７が形成される。構造にフレーム５を追加することにより、各層間の結合を更に強化することができる。
【００２８】
図７、８が示すように、本考案の第４実施形態におけるプラスチック生地縫製結合部材１００aでは、下部透明プラスチック層２が飾り糸４により織物層３に縫製結合され、前記飾り糸４により織物層３の上及び下部透明プラスチック層２の下に図形７が形成される。上部透明プラスチック層１が縫製された織物層３及び下部透明プラスチック層２の上に重なり、且つ別の飾り糸４'により織物層３及び下部透明プラスチック層２に縫製結合されて、飾り糸４'によりもう一つの縫製図形７'が形成され、前記縫製図形７が図形７'と重なって、新たな図形が形成される。この二種類の図形７、７'から作られた縫製図形が豊かさと多様性を高めると共に、構造をより強固にし、縫糸が外れ難くなる。
【００２９】
当該分野の技術を熟知するものが理解できるように、本考案にふさわしい実施形態を前述の通り開示したが、これらは決して本考案を限定するものではない。本考案の主旨と領域を逸脱しない範囲内で、各種の変更や修正を加えることができる。従って、本考案の実用新案登録請求の範囲は、このような変更や修正を含めて広く解釈されるべきである。
【符号の説明】
【００３０】
１００、１００ａ、１００ｂ、１００ｃ…プラスチック生地縫製結合部材
１…上部透明プラスチック層
２…下部透明プラスチック層
３…織物層
４、４'…飾り糸
５…フレーム
５１…上フレーム
５２…下フレーム
５３…ウィンドウ部
５４…中空部
６…フレーム縫糸
７、７'… 縫製図形
８…バッグ
９…装飾品
【図１】
0003191994.tif 000003
【図２】
0003191994.tif 000004
【図３】
0003191994.tif 000005
【図４】
0003191994.tif 000006
【図５】
0003191994.tif 000007
【図６】
0003191994.tif 000008
【図７】
0003191994.tif 000009
【図８】
0003191994.tif 000010